(57)【要約】【課題】好適な表示輝度での表示を維持しつつ表示装置の消費電力を低減することを可能にする技術を提供する。【解決手段】本発明の表示装置は、入力画像データに対する階調変換特性を設定する設定手段と、設定された階調変換特性に従って、前記入力画像データに対して補正処理を行い、補正画像データを生成する補正手段と、生成された前記補正画像データに基づく発光輝度で発光部を発光させて、前記補正画像データに基づく画像を表示する表示手段と、を備え、前記設定手段は、前記入力画像データと、設定された第１の階調変換特性とに基づいて、表示装置の消費電力に関連した値である電力関連値を取得し、取得した電力関連値が電力閾値よりも大きい場合に、そうでない場合と比べて、前記入力画像データの階調閾値よりも大きい階調値を低減する第２の階調変換特性に設定を変更する。【選択図】図１
2018116256.tif 000002
【特許請求の範囲】
【請求項１】
入力画像データに対する階調変換特性を設定する設定手段と、
設定された階調変換特性に従って、前記入力画像データに対して補正処理を行い、補正画像データを生成する補正手段と、
生成された前記補正画像データに基づく発光輝度で発光部を発光させて、前記補正画像データに基づく画像を表示する表示手段と、
を備え、
前記設定手段は、前記入力画像データと、設定された第１の階調変換特性とに基づいて、表示装置の消費電力に関連した値である電力関連値を取得し、取得した電力関連値が電力閾値よりも大きい場合に、そうでない場合と比べて、前記入力画像データの階調閾値よりも大きい階調値を低減する第２の階調変換特性に設定を変更する
ことを特徴とする表示装置。
【請求項２】
前記第２の階調変換特性は、前記階調閾値以下の階調値を補正しない階調変換特性である
ことを特徴とする請求項１に記載の表示装置。
【請求項３】
前記第２の階調変換特性は、前記階調閾値よりも大きい階調値を一定の値にクリップする階調変換特性である
ことを特徴とする請求項１または２に記載の表示装置。
【請求項４】
前記電力関連値が前記電力閾値よりも大きいほど、前記階調閾値が小さい
ことを特徴とする請求項３に記載の表示装置。
【請求項５】
前記設定手段は、前記階調閾値以上の入力値の変化に対する出力値の変化の傾きを決定することにより、前記第２の階調変換特性を決定する
ことを特徴とする請求項１または２に記載の表示装置。
【請求項６】
前記電力関連値が前記電力閾値よりも大きいほど、前記傾きが小さい
ことを特徴とする請求項５に記載の表示装置。
【請求項７】
前記設定手段は、前記入力画像データと、設定された第２の階調変換特性とに基づいて、前記表示装置の消費電力に関連した値である電力関連値を取得し、取得した電力関連値が前記電力閾値よりも大きい場合に、前記表示装置の消費電力がさらに低減するように、前記第２の階調変換特性を更新する
ことを特徴とする請求項１〜６のいずれか１項に記載の表示装置。
【請求項８】
前記設定手段は、複数の階調変換特性候補にそれぞれ対応する複数の電力関連値を取得し、前記複数の階調変換特性候補のいずれかを前記第２の階調変換特性として決定する
ことを特徴とする請求項１〜７のいずれか１項に記載の表示装置。
【請求項９】
前記設定手段は、ユーザ操作に応じて前記電力閾値を設定する
ことを特徴とする請求項１〜８のいずれか１項に記載の表示装置。
【請求項１０】
前記電力関連値は、前記発光部の発光輝度に基づく値である
ことを特徴とする請求項１〜９のいずれか１項に記載の表示装置。
【請求項１１】
前記表示手段は、前記発光部と、前記発光部から発せられた光を変調することにより前記画像を表示する表示パネルと、を有し、
前記発光部は、複数の光源部を有し、
前記複数の光源部のそれぞれは、前記補正画像データに基づく個別の発光輝度で発光し、
前記設定手段は、前記複数の光源部にそれぞれ対応する複数の発光輝度に基づく値を、前記電力関連値として取得する
ことを特徴とする請求項１０に記載の表示装置。
【請求項１２】
前記設定手段は、前記複数の発光輝度の合計輝度または平均輝度に基づく値を、前記電力関連値として取得する
ことを特徴とする請求項１１に記載の表示装置。
【請求項１３】
前記表示手段は、自発光型の表示パネルである
ことを特徴とする請求項１〜９のいずれか１項に記載の表示装置。
【請求項１４】
前記電力関連値は、前記入力画像データの複数の画素のそれぞれの輝度値に基づく値である
ことを特徴とする請求項１〜９および１３のいずれか１項に記載の表示装置。
【請求項１５】
入力画像データに対する階調変換特性を設定する設定ステップと、
設定された階調変換特性に従って、前記入力画像データに対して補正処理を行い、補正画像データを生成する補正ステップと、
生成された前記補正画像データに基づく発光輝度で発光部を発光させて、前記補正画像データに基づく画像を表示する表示ステップと、
を有し、
前記設定ステップでは、前記入力画像データと、設定された第１の階調変換特性とに基づいて、表示装置の消費電力に関連した値である電力関連値を取得し、取得した電力関連値が電力閾値よりも大きい場合に、そうでない場合と比べて、前記入力画像データの階調閾値よりも大きい階調値を低減する第２の階調変換特性に設定を変更する
ことを特徴とする表示方法。
【請求項１６】
請求項１５に記載の表示方法の各ステップをコンピュータに実行させるためのプログラム。
【発明の詳細な説明】
【技術分野】
【０００１】
本発明は、表示装置および表示方法に関する。
【背景技術】
【０００２】
近年、表示輝度（画面の輝度）のダイナミックレンジが広い表示装置の開発が進んでいる。広いダイナミックレンジは「ＨＤＲ（Ｈｉｇｈ  Ｄｙｎａｍｉｃ  Ｒａｎｇｅ）」などと呼ばれている。表示輝度のダイナミックレンジが広い表示装置を、以後、「ＨＤＲ表示装置」と記載する。ＨＤＲ表示装置は、非常に高い表示輝度での表示を行うことができる。しかしながら、非常に高い表示輝度での表示を画面全体で行う場合などにおいて、ＨＤＲ表示装置の消費電力として、非常に大きい消費電力が必要となる。
【０００３】
表示装置の消費電力を低減する機能として、ＡＢＬ（Ａｕｔｏ  ＢｒｉｇｈｔｎｅｓｓＬｉｍｉｔｔｅｒ）機能が知られている。ＡＢＬ機能では、画像データのＡＰＬ（Ａｖｅｒａｇｅ  Ｐｉｃｔｕｒｅ  Ｌｅｖｅｌ）が高い場合に、画面全体に渡って表示輝度が低減される。特許文献１には、消費電力を所定の範囲内に制限するＡＢＬ機能が開示されている。
【先行技術文献】
【特許文献】
【０００４】
【特許文献１】特開２００２−３２０５２号公報
【発明の概要】
【発明が解決しようとする課題】
【０００５】
しかしながら、ＨＤＲを有する画像データの規格として、表示輝度が規定されている規格があり、規定されている表示輝度を忠実に再現した表示が望まれることがある。そして、ＡＢＬ機能を用いると、画面全体に渡って表示輝度が低減され、規定されている表示輝度などの好適な表示輝度での表示が維持できない。
【０００６】
本発明は、好適な表示輝度での表示を維持しつつ表示装置の消費電力を低減することを可能にする技術を提供することを目的とする。
【課題を解決するための手段】
【０００７】
本発明の第１の態様は、
入力画像データに対する階調変換特性を設定する設定手段と、
設定された階調変換特性に従って、前記入力画像データに対して補正処理を行い、補正画像データを生成する補正手段と、
生成された前記補正画像データに基づく発光輝度で発光部を発光させて、前記補正画像データに基づく画像を表示する表示手段と、
を備え、
前記設定手段は、前記入力画像データと、設定された第１の階調変換特性とに基づいて、表示装置の消費電力に関連した値である電力関連値を取得し、取得した電力関連値が電力閾値よりも大きい場合に、そうでない場合と比べて、前記入力画像データの階調閾値よりも大きい階調値を低減する第２の階調変換特性に設定を変更する
ことを特徴とする表示装置である。
【０００８】
本発明の第２の態様は、
入力画像データに対する階調変換特性を設定する設定ステップと、
設定された階調変換特性に従って、前記入力画像データに対して補正処理を行い、補正画像データを生成する補正ステップと、
生成された前記補正画像データに基づく発光輝度で発光部を発光させて、前記補正画像データに基づく画像を表示する表示ステップと、
を有し、
前記設定ステップでは、前記入力画像データと、設定された第１の階調変換特性とに基づいて、表示装置の消費電力に関連した値である電力関連値を取得し、取得した電力関連値が電力閾値よりも大きい場合に、そうでない場合と比べて、前記入力画像データの階調閾値よりも大きい階調値を低減する第２の階調変換特性に設定を変更する
ことを特徴とする表示方法である。
【０００９】
本発明の第３の態様は、上述した表示方法の各ステップをコンピュータに実行させるためのプログラムである。
【発明の効果】
【００１０】
本発明によれば、好適な表示輝度での表示を維持しつつ表示装置の消費電力を低減することが可能となる。
【図面の簡単な説明】
【００１１】
【図１】実施例１に係る表示装置の構成例を示すブロック図
【図２】実施例１に係る表示装置の動作例を示すフローチャート
【図３】実施例１に係る輝度関係の一例を示す図
【図４】実施例２に係る表示装置の構成例を示すブロック図
【図５】実施例２に係る表示装置の動作例を示すフローチャート
【図６】実施例２に係る輝度ヒストグラムの一例を示す図
【図７】実施例２に係る各種パラメータの一例を示す図
【図８】実施例３に係る表示装置の構成例を示すブロック図
【図９】実施例４に係る表示装置の構成例を示すブロック図
【図１０】実施例４に係る輝度関係の一例を示す図
【図１１】実施例４に係るグラフィック画像の一例を示す図
【発明を実施するための形態】
【００１２】
＜実施例１＞
以下、本発明の実施例１について説明する。本実施例では、透過型の液晶表示装置の例を説明する。なお、本実施例に係る表示装置は、透過型の液晶表示装置に限られない。例えば、発光部と、発光部から発せられた光を変調（透過など）することにより画面に画像を表示する表示パネル（変調パネル）と、を有する他の表示装置が使用されてもよい。具体的には、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッタを有するＭＥＭＳシャッタ方式表示装置、プロジェクタ、等が使用されてもよい。有機ＥＬ（Ｅｌｅｃｔｒｏ  Ｌｕｍｉｎｅｓｃｅｎｃｅ）表示装置、プラズマ表示装置、等の自発光型の表示装置が使用されてもよい。
【００１３】
また、本実施例では、発光部（バックライトユニット）が複数の光源部を有する例を説明する。本実施例では、各光源部の発光輝度が個別に制御される。このような制御は「ローカルデミング制御」などと呼ばれる。ローカルデミング制御を行うことにより、表示画像（画面に表示された画像）のコントラストを向上することができる。
【００１４】
図１は、本実施例に係る表示装置の構成例を示すブロック図である。
【００１５】
輝度関係設定部（変換特性設定部）１は、入力画像データのデータ輝度と表示装置の表
示輝度との対応関係である輝度関係（階調変換特性）を、第１補正部２に対して設定する。入力画像データのデータ輝度は、例えば、「入力画像データの規格によって規定された表示輝度」、「入力画像データで想定された輝度」、「入力画像データによって表された輝度」、「入力画像データの階調値」等とも言える。表示輝度は、画面の輝度である。輝度関係設定部１は、第１補正部２による補正処理の入力階調値と出力階調値との対応関係を表す階調変換特性を設定するとも言える。
【００１６】
本実施例では、輝度関係設定部１は、入力画像データと、第１補正部２で使用する輝度関係（階調変換特性）の候補である候補関係（階調変換特性候補）とに基づいて、候補関係が輝度関係として使用される場合における表示装置の消費電力に関連した値である電力関連値を取得する。本実施例では、バックライトユニット５が、入力画像データと輝度関係に基づく発光輝度で発光する。この場合には、バックライトユニット５の発光輝度に基づく値を、電力関連値として用いることができる。具体的には、バックライトユニット５が有する複数の光源部のそれぞれが、入力画像データと輝度関係に基づく個別の発光輝度で発光する。この場合には、複数の光源部にそれぞれ対応する複数の発光輝度に基づく値を、電力関連値として用いることができる。本実施例では、輝度関係設定部１は、複数の発光輝度の合計輝度に基づく値を、電力関連値として取得する。
【００１７】
なお、複数の光源部にそれぞれ対応する複数の発光輝度の平均輝度などの他の発光輝度に基づく値が、電力関連値として取得されてもよい。光源部の数、光源部の配置、等は特に限定されない。例えば、複数の光源部は、マトリクス状に配置されていてもよいし、千鳥格子状に配置されていてもよい。バックライトユニット５が有する光源部の数は１つであってもよい。その場合には、光源部の発光輝度に基づく値を、電力関連値として用いることができる。
【００１８】
そして、第１の候補関係（第１の階調変換特性候補）に対応する消費電力が電力閾値よりも大きい場合に、輝度関係設定部１は、取得した電力関連値に基づいて、第２の候補関係（第２の階調変換特性候補）を決定する。第２の候補関係は、消費電力が電力閾値以下となり、且つ、輝度閾値（階調閾値）以下のデータ輝度（入力画像データのデータ輝度）の範囲における対応関係が第１の候補関係と略同一の候補関係である。「候補関係（階調変換特性候補）に対応する消費電力」は、「候補関係（階調変換特性候補）が第１補正部２による補正処理の輝度関係（階調変換特性）として使用される場合における表示装置の消費電力」とも言える。「略同一」は「完全同一」を含む。
【００１９】
本実施例では、第１の候補関係に対応する消費電力が電力閾値以下である場合に、輝度関係設定部１は、第１の候補関係を第１補正部２で使用する輝度関係として設定する。そして、第１の候補関係に対応する消費電力が電力閾値よりも大きい場合に、輝度関係設定部１は、第２の候補関係を第１補正部２で使用する輝度関係として設定する。具体的には、第１の候補関係に対応する消費電力が電力閾値以下である場合に、輝度関係設定部１は、第１の候補関係を補正しない補正値を、第１補正部２へ出力する。そして、第１の候補関係に対応する消費電力が電力閾値よりも大きい場合に、輝度関係設定部１は、第１の候補関係を第２の候補関係へ補正する補正値を、第１補正部２へ出力する。なお、輝度関係として使用される候補関係を示す他の情報（テーブル、関数、等）が第１補正部２へ出力されてもよい。
【００２０】
なお、輝度関係設定部１で使用する輝度関係（階調変換特性）及び補正値は、画像データの輝度信号に対するものであってもよいし、画像データのＲ（赤）信号・Ｇ（緑）信号・Ｂ（青）信号のそれぞれに対するものであってもよい。輝度関係設定部１は、複数の候補関係（階調変換特性候補）に対応する複数のＬＵＴ（Ｌｏｏｋ  Ｕｐ  Ｔａｂｌｅ）を予め記憶しておき、使用するＬＵＴを選択する構成であってもよい。また、輝度関係設定
部１は、輝度関係（階調変換特性）に対応する関数を予め記憶しておき、関数で使用する係数を適宜変更する構成であってもよい。
【００２１】
第１補正部２、特徴量取得部３、ＢＬ制御値決定部４、バックライトユニット５、第２補正部６、及び、液晶パネル７により、入力画像データと輝度関係に基づいて画面に画像が表示される。
【００２２】
第１補正部２は、輝度関係設定部１によって設定された輝度関係に応じて入力画像データを補正することにより、補正画像データを生成する。具体的には、第１補正部２は、輝度関係に応じた表示が行われるように、入力画像データを補正する。本実施例では、第１補正部２は、輝度関係設定部１から出力された補正値と、第１の候補関係とに基づいて、入力画像データを補正する。第１補正部２によって行われる補正は、例えば、ガンマ補正である。第１補正部２は、入力画像データが有する複数の画素（全画素）のそれぞれについて、設定された輝度関係（階調変換特性）に応じて、その画素が有する階調値を変換するとも言える。
【００２３】
特徴量取得部３は、バックライトユニット５が有する複数の光源部のそれぞれについて、第１補正部２によって生成された補正画像データの特徴量を取得する。本実施例では、複数の光源部のそれぞれは、画面の少なくとも一部の領域（対応領域）にそれぞれ対応付けられている。具体的には、複数の光源部は、画面全体の領域を構成する複数の分割領域にそれぞれ対応付けられている。そして、特徴量取得部３は、複数の光源部のそれぞれについて、その光源部に対応する分割領域（対応領域）における補正画像データの特徴量を取得する。本実施例では、特徴量として、分割領域内における複数の画素値（階調値）の最大値が取得される。
【００２４】
なお、対応領域の配置、対応領域の数、対応領域の形状、等は特に限定されない。例えば、複数の対応領域は、マトリクス状に配置されていてもよいし、千鳥格子状に配置されていてもよい。対応領域の配置は、光源部の配置と同じであってもよいし、異なっていてもよい。対応領域は、分割領域でなくてもよい。対応領域は他の対応領域から離れていてもよいし、対応領域の少なくとも一部は他の対応領域の少なくとも一部に重なっていてもよい。対応領域と光源部の対応関係は、１対１の対応関係でなくてもよい。例えば、１つの部分領域に対して２つ以上の光源部が対応付けられていてもよい。画面全体の領域が１つの光源部に対応付けられていてもよい。対応領域の形状は、四角形、三角形、五角形、円形、等であってもよい。
【００２５】
なお、特徴量は、画素値の最大値に限られない。例えば、画素値の他の代表値（平均値、最小値、中間値、最頻値、等）、画素値のヒストグラム、輝度値の代表値、輝度値のヒストグラム、等が特徴量として取得されてもよい。
【００２６】
ＢＬ制御値決定部４は、複数の光源部のそれぞれについて、特徴量取得部３によって取得された特徴量に応じて、ＢＬ制御値を決定する。ＢＬ制御値は、光源部の発光輝度に対応する制御値である。例えば、ＢＬ制御値決定部４は、明るい画像が表示される分割領域に対応する光源部の発光輝度が、暗い画像が表示される分割領域に対応する光源部の発光輝度よりも高い発光輝度に制御されるように、各光源部のＢＬ制御値を決定する。ＢＬ制御値と発光輝度の対応関係は特に限定されないが、本実施例では、発光輝度が高いほどＢＬ制御値が大きい。
【００２７】
バックライトユニット５は、複数の光源部を有する。複数の光源部のそれぞれは、１つ以上の発光素子を有する。発光素子として、例えば、発光ダイオード、有機ＥＬ素子、プラズマ素子、レーザ光源、等が使用される。複数の光源部のそれぞれは、ＢＬ制御値決定
部４によって決定されたＢＬ制御値に応じて発光する。具体的には、複数の光源部のそれぞれは、ＢＬ制御値に応じた発光輝度で発光する。
【００２８】
第２補正部６は、ＢＬ制御値決定部４によって決定された各ＢＬ制御値に基づいて補正画像データを補正することにより、表示画像データを生成する。本実施例では、第２補正部６は、各光源部の発光輝度が所定の基準輝度から変化することによる表示輝度の変化が抑制されるように、補正画像データを補正する。例えば、第２補正部６は、光源部の発光輝度が所定の基準輝度から高められる領域について、補正画像データの画素値を低減し（圧縮処理）、光源部の発光輝度が所定の基準輝度から低減される領域について、補正画像データの画素値を高める（伸長処理）。光源部の発光輝度の変化に応じて補正画像データの画素値をこのように補正することにより、表示すべき階調を正しく表示することができる。
【００２９】
液晶パネル７は、バックライトユニット５から発せられた光を、第２補正部６によって生成された表示画像データに応じて透過することにより、画面に画像を表示する。本実施例では、液晶パネル７は、液晶ドライバ、コントロール基板、及び、複数の液晶素子を有する。コントロール基板は、表示画像データに応じて、液晶ドライバの処理を制御する。液晶ドライバは、コントロール基板からの指示に応じて、各液晶素子を駆動する。それにより、各液晶素子の透過率（開口率；変調率）が、表示画像データに応じた値に制御される。バックライトユニット５から発せられた光が各液晶素子を透過することにより、画面に画像が表示される。
【００３０】
次に、本実施例に係る表示装置の動作例について図２のフローチャートを用いて説明する。
【００３１】
まず、Ｓ２０１にて、輝度関係設定部１は、輝度関係として、第１の候補関係を設定する。具体的には、輝度関係設定部１は、補正値ＣＧ＝０を設定する。
【００３２】
次に、Ｓ２０２にて、第１補正部２は、輝度関係設定部１によって設定された輝度関係に応じて入力画像データを補正することにより、補正画像データを生成する。具体的には、第１補正部２は、以下の式１−１，１−２を用いて、入力画像データの各画素値を補正する。式１−１，１−２において、「Ｌｉｎ」は、入力画像データのデータ輝度である。「Ｌｏｕｔ」は、補正画像データのデータ輝度であり、輝度関係に応じた表示輝度である。そして、「Ｌｍａｘ」は、入力画像データのデータ輝度の上限である。
Ｌｉｎ≦Ｌｍａｘ−ＣＧの場合：
Ｌｏｕｔ＝Ｌｉｎ  ・・・（式１−１）
Ｌｉｎ＞Ｌｍａｘ−ＣＧの場合：
Ｌｏｕｔ＝Ｌｍａｘ−ＣＧ  ・・・（式１−２）
【００３３】
式１−１，１−２によれば、Ｌｍａｘ−ＣＧ以下のデータ輝度Ｌｉｎは、変換されない。換言すれば、Ｌｍａｘ−ＣＧ以下のデータ輝度Ｌｉｎは、データ輝度Ｌｉｎと等しいデータ輝度Ｌｏｕｔに変換される。そして、Ｌｍａｘ−ＣＧよりも高いデータ輝度Ｌｉｎは、Ｌｍａｘ−ＣＧと等しいデータ輝度Ｌｏｕｔに変換される。
【００３４】
補正値ＣＧ＝０の場合には、図３（Ａ）の変換特性（第１の候補関係）に従って、データ輝度（入力値）Ｌｉｎがデータ輝度（出力値）Ｌｏｕｔに変換される。図３（Ａ）の変換特性では、データ輝度Ｌｏｕｔは、当該データ輝度Ｌｏｕｔに対応するデータ輝度Ｌｉｎと略等しい。「略等しい」は「完全に等しい」を含む。図３（Ａ）の変換特性では、デ
ータ輝度Ｌｏｕｔは、当該データ輝度Ｌｏｕｔに対応するデータ輝度Ｌｉｎと完全に等しい。そのため、「補正値ＣＧ＝０」は「第１の候補関係を補正しない補正値ＣＧ」とも言える。
【００３５】
補正値ＣＧ＞０の場合には、図３（Ｂ）の変換特性に従って、データ輝度Ｌｉｎがデータ輝度Ｌｏｕｔに変換される。図３（Ｂ）の変換特性では、Ｌｍａｘ−ＣＧ以下のデータ輝度Ｌｉｎの範囲における変換特性が図３（Ａ）の変換特性と完全同一（略同一）である。そのため、「Ｌｍａｘ−ＣＧ」は上述した「輝度閾値（階調閾値）」とも言える。また、Ｌｍａｘ−ＣＧより大きいデータ輝度Ｌｉｎの範囲は、出力値Ｌｏｕｔを一定の値Ｌｍａｘ−ＣＧにクリップする変換処理（クリップ処理）が施される。図３（Ｂ）の変換特性では、Ｌｍａｘ−ＣＧより大きいデータ輝度Ｌｉｎの範囲（階調範囲）における出力値Ｌｏｕｔが図３（Ａ）の変換特性よりも低い値（階調値）に低減されている。
【００３６】
なお、第１の候補関係は、図３（Ａ）の変換特性に限られない。例えば、第１の候補関係において、表示輝度（データ輝度Ｌｏｕｔ）は、当該表示輝度に対応するデータ輝度Ｌｉｎと異なっていてもよい。第１の候補関係として、データ輝度Ｌｉｎに依らず好適な表示輝度での表示を実現するための他の候補関係が使用されてもよい。また、補正値ＣＧ＞０の場合において、Ｌｍａｘ−ＣＧ以下のデータ輝度Ｌｉｎの範囲における対応関係（変換特性）は、第１の候補関係（図３（Ａ）の変換特性）と完全同一でなくてもよい。
【００３７】
そして、Ｓ２０３にて、輝度関係設定部１は、複数の光源部のそれぞれについて、Ｓ２０２において生成された補正画像データの特徴量を取得する。本実施例では、輝度関係設定部１は、特徴量取得部３の処理と同様の処理を実行する特徴量取得機能を有する。輝度関係設定部１の特徴量取得機能により、Ｓ２０３の処理が実現される。なお、輝度関係設定部１の特徴量取得機能によって実行される処理は、特徴量取得部３の処理と完全に等しくてもよいし、そうでなくてもよい。例えば、特徴量取得部３の処理を簡略化した処理が、輝度関係設定部１の特徴量取得機能によって実行されてもよい。また、本実施例では、補正値ＣＧ＝０の場合において、補正画像データは入力画像データと等しい。そのため、補正値ＣＧ＝０の場合には、輝度関係設定部１は、入力画像データから特徴量を取得してもよい。
【００３８】
次に、Ｓ２０４にて、輝度関係設定部１は、複数の光源部のそれぞれについて、Ｓ２０３において取得された特徴量に応じて、ＢＬ制御値を決定する。本実施例では、輝度関係設定部１は、ＢＬ制御値決定部４の処理と同様の処理を実行する制御値決定機能を有する。輝度関係設定部１の制御値決定機能により、Ｓ２０４の処理が実現される。なお、輝度関係設定部１の制御値決定機能によって実行される処理は、ＢＬ制御値決定部４の処理と完全に等しくてもよいし、そうでなくてもよい。例えば、ＢＬ制御値決定部４の処理を簡略化した処理が、輝度関係設定部１の制御値決定機能によって実行されてもよい。
【００３９】
そして、Ｓ２０５にて、輝度関係設定部１は、Ｓ２０４にて決定された複数のＢＬ制御値に基づいて、電力関連値を取得する。具体的には、輝度関係設定部１は、複数のＢＬ制御値の総和を電力関連値として算出する。
【００４０】
次に、Ｓ２０６にて、輝度関係設定部１は、Ｓ２０５において算出された電力関連値に基づいて、表示装置の消費電力が電力閾値よりも大きくなるか否かを判断する。本実施例では、Ｓ２０５において算出された電力関連値が閾値Ｗｔｈよりも大きい場合に、輝度関係設定部１は、表示装置の消費電力が電力閾値よりも大きくなると判断する。Ｓ２０５において算出された電力関連値が閾値Ｗｔｈ以下である場合には、輝度関係設定部１は、表示装置の消費電力が電力閾値よりも大きくならないと判断する。
【００４１】
表示装置の消費電力が電力閾値よりも大きくならないと判断された場合には、本フローチャートが終了される。表示装置の消費電力が電力閾値よりも大きくなると判断された場合には、Ｓ２０７へ処理が進められる。
【００４２】
Ｓ２０７にて、輝度関係設定部１は、輝度閾値以下（階調閾値以下）のデータ輝度Ｌｉｎの範囲における対応関係が第１の候補関係と略同一である第２の候補関係に、輝度関係を更新する。具体的には、輝度関係設定部１は、補正値ＣＧにオフセット値ΔＣＧを加算することにより、補正値ＣＧを更新する。そして、Ｓ２０２へ処理が戻される。その結果、Ｓ２０２にて、図３（Ｂ）に示すような変換特性が使用され、Ｓ２０５にて、第２の候補関係に対応する電力関連値が取得されることとなる。そして、表示装置の消費電力が電力閾値よりも大きくならないと判断されるまで、Ｓ２０２〜Ｓ２０７の処理が繰り返される。「候補関係（階調変換特性候補）に対応する電力関連値」は、「候補関係（階調変換特性候補）が第１補正部２による補正処理の輝度関係（階調変換特性）として使用される場合における表示装置の消費電力に関する値」とも言える。「補正値ＣＧにオフセット値ΔＣＧを加算する処理」は「輝度閾値（階調閾値）を低減する処理」とも言える。
【００４３】
図２のフローチャートによれば、第１の候補関係に対応する消費電力が電力閾値以下である場合には、Ｓ２０７へ処理が進められずに、第１の候補関係を輝度関係として用いて表示が行われる。第１の候補関係に対応する消費電力が電力閾値よりも大きい場合には、Ｓ２０７へ処理が進められ、第２の候補関係が決定され、第２の候補関係を輝度関係として用いて表示が行われる。
【００４４】
具体的には、最初に決定された第２の候補関係に対応する電力関連値として、閾値Ｗｔｈ以下の電力関連値が取得された場合には、当該第２の候補関係が第１補正部２で使用される輝度関係として決定される。「閾値Ｗｔｈ以下の電力関連値」は「電力閾値以下の消費電力に関連した電力関連値」とも言える。最初に決定された第２の候補関係に対応する電力関連値として、閾値Ｗｔｈよりも大きい電力関連値が取得された場合には、閾値Ｗｔｈ以下の電力関連値が取得されるように輝度閾値がさらに低減された第２の候補関係に更新される。具体的には、閾値Ｗｔｈ以下の電力関連値が取得されるまで、輝度閾値が低減されるように第２の候補関係を更新する処理を繰り返す。「閾値Ｗｔｈよりも大きい電力関連値」は「電力閾値よりも大きい消費電力に関連した電力関連値」とも言える。
【００４５】
なお、本実施例においては、閾値Ｗｔｈ以下の電力関連値が取得される第２の候補関係が決定されるまでは、第１補正部２の後段（特徴量取得部３及び第２補正部６）への出力は行われないものとする。これにより、電力閾値以下の消費電力での表示を行うことができる。ただし、電力閾値以上の消費電力での表示が一時的に許容される場合であれば、第２の候補関係を更新した時点で、後段への出力が行われてもよい。この場合、図２のフローチャートは、単一の入力画像に対して行われるのではなく、時間的に連続する複数の入力画像に対して適用されることになる。Ｓ２０７からＳ２０２に処理が進んだ場合、Ｓ２０２の補正画像の生成は時間的に後の入力画像に対して適用される。この場合、特徴量の取得及びＢＬ制御値の決定を輝度関係設定部１の中で行わずに、後段の特徴量取得部３から特徴量を取得し、ＢＬ制御値決定部４からＢＬ制御値を取得するようにしてもよい。すなわち、輝度関係設定部１が、特徴量取得機能と制御値決定機能を有さない構成であってもよい。
【００４６】
以上述べたように、本実施例によれば、第１の候補関係に対応する消費電力が電力閾値よりも大きい場合に、第２の候補関係が決定される。それにより、好適な表示輝度での表示を維持しつつ表示装置の消費電力を電力閾値以下に低減することが可能となる。具体的には、第２の候補関係において、輝度閾値以下のデータ輝度Ｌｉｎの範囲における対応関係は、第１の候補関係と略同一である。そのため、第２の候補関係を用いることにより、
消費電力を低減することができるだけでなく、データ輝度Ｌｉｎが輝度閾値以下である領域において、第１の候補関係を用いた場合と略同一の表示輝度での表示を実現することができる。例えば、データ輝度Ｌｉｎが輝度閾値以下である領域において、入力画像データの規格によって規定されている表示輝度を忠実に再現した表示を実現することができる。
【００４７】
なお、オフセット値ΔＣＧは、固定値であってもよいし、そうでなくてもよい。例えば、電力関連値と閾値Ｗｔｈの差に応じてオフセット値ΔＣＧが変更されてもよい。具体的には、電力関連値と閾値Ｗｔｈの差が大きいほど大きいオフセット値ΔＣＧを設定するようにすることで、Ｓ２０２〜Ｓ２０７の処理を１回行うだけで、表示装置の消費電力を電力閾値以下に低減するようにしてもよい。また、表示装置に対するユーザ操作に応じてオフセット値ΔＣＧが変更されてもよい。Ｓ２０７の処理を一回行うだけで第２の補正関係が決定されるように、オフセット値ΔＣＧが決定されてもよい。このような場合、輝度関係設定部１は、第１補正部２によって生成された補正画像データからではなく、入力画像データから特徴量を取得してもよい。
【００４８】
なお、本実施例によれば、第１の候補関係に対応する消費電力が大きいほど小さい輝度閾値を決定することにより、第２の候補関係が決定される。しかしながら、第２の候補関係の決定方法は、上記方法に限られない。例えば、輝度閾値以上（階調閾値以上）のデータ輝度Ｌｉｎの変化に対する表示輝度の変化の傾きとして、第１の候補関係に対応する消費電力が大きいほど小さい傾き決定することにより、第２の候補関係が決定されてもよい。輝度閾値と傾きの両方を決定することにより第２の候補関係が決定されてもよいし、輝度閾値と傾きの一方のみを決定することにより第２の候補関係が決定されてもよい。
【００４９】
上記傾きが決定される場合には、例えば、図３（Ｃ）の変換特性に従って、データ輝度Ｌｉｎがデータ輝度Ｌｏｕｔに変換される（階調圧縮処理）。具体的には、第１補正部２は、以下の式２−１，２−２を用いて、入力画像データの各画素値を補正する。式２−１，２−２において、「Ｌｔｈ」は輝度閾値である。補正値ＣＧは、上記傾きである。輝度関係設定部１は、０以上かつ１以下の値を、補正値ＣＧとして決定する。例えば、第１の候補関係に対応する消費電力が電力閾値よりも大きい場合に、輝度関係設定部１は、第１の候補関係に対応する消費電力が大きいほど小さい値を、補正値ＣＧとして決定する。上記傾きは、輝度閾値（階調閾値）以上の入力値（入力階調値）の変化に対する出力値（出力階調値）の変化の傾きであるとも言える。
Ｌｉｎ≦Ｌｔｈの場合：
Ｌｏｕｔ＝Ｌｉｎ  ・・・（式２−１）
Ｌｉｎ＞Ｌｔｈの場合：
Ｌｏｕｔ＝ＣＧ×（Ｌｉｎ−Ｌｔｈ）＋Ｌｔｈ  ・・・（式２−２）
【００５０】
図３（Ｃ）の変換特性によれば、輝度閾値Ｌｔｈよりも高いデータ輝度Ｌｉｎの範囲において、データ輝度Ｌｉｎの増加によりデータ輝度Ｌｏｕｔが増加する。そのため、データ輝度Ｌｉｎが輝度閾値よりも高い領域について、領域内における輝度分布として、一様な輝度分布ではなく、データ輝度Ｌｉｎの違い（変化）を表現した輝度分布を得ることができる。
【００５１】
なお、第１の候補関係は図３（Ａ）の候補関係（変換特性）に限られない。例えば、データ輝度Ｌｉｎの増加に対して表示輝度（データ輝度Ｌｏｕｔ）が線形に増加してもよいし、データ輝度Ｌｉｎの増加に対して表示輝度（データ輝度Ｌｏｕｔ）が非線形に増加してもよい。データ輝度Ｌｉｎの増加に対して表示輝度が線形に増加する線形部分と、データ輝度Ｌｉｎの増加に対して表示輝度が非線形に増加する非線形部分との両方が含まれて
いてもよい。
【００５２】
なお、第２の候補関係は図３（Ｂ），３（Ｃ）の候補関係（変換特性）に限られない。第２の候補関係は、表示装置の消費電力が電力閾値以下となり、且つ、輝度閾値以下のデータ輝度Ｌｉｎの範囲における対応関係が第１の候補関係と略同一である候補関係であればよい。第１の候補関係に対応する消費電力が大きい場合に、第１の候補関係に対応する消費電力が小さい場合よりも大きい値が、輝度閾値として使用されてもよい。第１の候補関係に対応する消費電力が大きい場合に、第１の候補関係に対応する消費電力が小さい場合よりも大きい傾きが、上記傾きとして使用されてもよい。表示輝度の上限として、第１の候補関係と同じ表示輝度が使用されてもよい。輝度閾値以下のデータ輝度Ｌｉｎの範囲において、データ輝度Ｌｉｎの増加に対して表示輝度が線形に増加してもよいし、データ輝度Ｌｉｎの増加に対して表示輝度が非線形に増加してもよい。輝度閾値よりも高いデータ輝度Ｌｉｎの範囲において、データ輝度Ｌｉｎの増加に対して表示輝度が線形に増加してもよいし、データ輝度Ｌｉｎの増加に対して表示輝度が非線形に増加してもよい。輝度閾値以下のデータ輝度Ｌｉｎの範囲は、線形部分と非線形部分の両方を含んでもよい。輝度閾値よりも高いデータ輝度Ｌｉｎの範囲は、線形部分と非線形部分の両方を含んでもよい。
【００５３】
＜実施例２＞
以下、本発明の実施例２について説明する。本実施例では、有機ＥＬ表示装置の例を説明する。以下では、実施例１と異なる点（構成、処理、等）について詳しく説明し、実施例１と同じ点についての説明は省略する。図４は、本実施例に係る表示装置の構成例を示すブロック図である。図４において、実施例１（図１）と同じ機能部には、実施例１と同じ符号が付されている。図４の例では、第１補正部２によって生成された補正画像データが、表示画像データとして使用される。具体的には、第１補正部２は、表示画像データ（補正画像データ）を、有機ＥＬパネル８へ出力する。有機ＥＬパネル８は、表示画像データに応じて画面に画像を表示する自発光型の表示パネルである。
【００５４】
本実施例では、輝度関係設定部（変換特性設定部）１の処理が実施例１と異なる。表示装置の消費電力は、表示輝度に略比例する。そして、自発光型の表示パネルが使用される場合には、入力画像データの複数の画素（全画素）に対応する複数のデータ輝度Ｌｉｎを候補関係（階調変換特性候補）に応じて変換して得られる複数の表示輝度（データ輝度Ｌｏｕｔ）に基づく値を、電力関連値として用いることができる。本実施例では、輝度関係設定部１は、候補関係に応じた複数のデータ輝度Ｌｏｕｔ（複数の画素（全画素）に対応する複数のデータ輝度Ｌｏｕｔ）の合計輝度に基づく値を、電力関連値として取得する。
【００５５】
具体的には、第１補正部２が、入力画像データが有する複数の画素のそれぞれについて、設定された輝度関係（階調変換特性）に応じて、その画素が有するデータ輝度Ｌｉｎを、表示輝度（データ輝度Ｌｏｕｔ）に変換する。第１補正部２は、入力画像データが有する複数の画素（全画素）のそれぞれについて、設定された輝度関係（階調変換特性）に応じて、その画素が有する階調値を変換するとも言える。そして、輝度関係設定部１が、各画素のデータ輝度Ｌｏｕｔを取得し、各画素のデータ輝度Ｌｏｕｔに基づいて輝度ヒストグラムを取得（生成）する。本実施例では、データ輝度Ｌｏｕｔの所定範囲を構成する複数の範囲にそれぞれ対応する複数の輝度カテゴリ値が予め定められている。本実施例では、複数の輝度カテゴリ値として、１からｎまでのｎ個の整数が予め定められており、輝度カテゴリ値は、データ輝度Ｌｏｕｔが高いほど大きい。輝度ヒストグラムを取得する処理は、複数の輝度カテゴリ値のそれぞれについて、その輝度カテゴリ値のデータ輝度Ｌｏｕｔを有する画素の数（度数）をカウントする処理である。
【００５６】
その後、輝度関係設定部１は、以下の式３を用いて、電力関連値ＴＷを算出する。式３
において、Ｃｔ（ｘ）は、輝度カテゴリ値ｘの度数Ｃｔである（ｘは１以上かつｎ以下の整数）。式３によれば、複数の輝度カテゴリ値ｘにそれぞれ対応する複数の度数Ｃｔ（ｘ）の総和が、電力関連値ＴＷとして算出される。
ＴＷ＝１×Ｃｔ（１）＋２×Ｃｔ（２）・・・
＋（ｎ−１）×Ｃｔ（ｎ−１）＋ｎ×Ｃｔ（ｎ）
・・・（式３）
【００５７】
なお、輝度カテゴリ値の数は特に限定されない。輝度カテゴリ値とデータ輝度Ｌｏｕｔの対応関係も特に限定されない。例えば、輝度カテゴリ値は、データ輝度Ｌｏｕｔが高いほど小さくてもよい。輝度カテゴリ値に対応する範囲に対して複数のデータ輝度Ｌｏｕｔが属してもよいし、そうでなくてもよい。輝度カテゴリ値に対応する範囲に対して１つのデータ輝度Ｌｏｕｔが属してもよい。データ輝度Ｌｏｕｔが輝度カテゴリ値として使用されてもよい。上記所定範囲も特に限定されない。例えば、所定範囲として、第１の候補関係で得られるデータ輝度Ｌｏｕｔの範囲が使用される。
【００５８】
なお、候補関係に応じた複数の表示輝度の平均輝度などの他の表示輝度に基づく値が、電力関連値として取得されてもよい。画像データの平均輝度レベル（ＡＰＬ：Ａｖｅｒａｇｅ  Ｐｉｘｅｌ  Ｌｅｖｅｌ）が電力関連値として取得されても良い。また、発光部と変調パネルを有する表示装置において、のデータ輝度Ｌｉｎが高いほど高い発光輝度で発光部が発光する場合にも、候補関係に応じた複数の表示輝度に基づく値を、電力関連値として用いることができる。
【００５９】
本実施例に係る輝度関係（補正値ＣＧ）の決定方法の一例について、図５のフローチャートを用いて説明する。本実施例では、輝度閾値（階調閾値）を定める値が補正値ＣＧとして決定される例を説明する。具体的には、式１−１，１−２で使用される補正値ＣＧが決定され、且つ、図３（Ａ），３（Ｂ）に示すような変換特性が輝度関係として決定される例を説明する。
【００６０】
まず、Ｓ５０１にて、輝度関係設定部１は、輝度関係として第１の候補関係を設定し、第１の候補関係に対応する輝度ヒストグラム（特徴量）を取得する。具体的には、輝度関係設定部１は、補正値ＣＧ＝０を設定し、各画素のデータ輝度Ｌｏｕｔとして、図３（Ａ）の変換特性に応じたデータ輝度Ｌｏｕｔを取得する。そして、輝度関係設定部１は、複数の輝度カテゴリ値ｘのそれぞれについて、輝度カテゴリ値ｘのデータ輝度Ｌｏｕｔを有する画素の数（度数Ｃｔ（ｘ））をカウントする。
【００６１】
次に、Ｓ５０２にて、輝度関係設定部１は、複数の輝度カテゴリ値ｘのそれぞれについて、輝度カテゴリ値ｘに対応する画素の表示に要する消費電力に関連した電力関連値ｔＷ（ｘ）を判断する。具体的には、輝度関係設定部１は、輝度カテゴリ値ｘに度数Ｃｔ（ｘ）を乗算することにより、電力関連値ｔＷ（ｘ）を算出する。電力関連値ｔＷ（ｘ）は、輝度カテゴリ値ｘに対応する値ｔＷである。電力関連値ｔＷ（ｘ）は、第１の候補関係が輝度関係として使用された場合の値でもある。
【００６２】
そして、Ｓ５０３にて、輝度関係設定部１は、複数の輝度カテゴリ値ｘのそれぞれについて、輝度カテゴリ値ｘよりも小さい輝度カテゴリ値の電力関連値ｔＷの総和ＷＵｓｕｍ（ｘ）を算出する。具体的には、輝度関係設定部１は、以下の式４−１，４−２を用いて、電力関連値（総和）ＷＵｓｕｍ（ｘ）を算出する。電力関連値ＷＵｓｕｍ（ｘ）は、輝度カテゴリ値ｘに対応する値ＷＵｓｕｍである。「電力関連値ＷＵｓｕｍ（ｘ）」は、「輝度カテゴリ値ｘよりも小さい輝度カテゴリ値に対応する画素の表示に要する消費電力」
とも言える。電力関連値ＷＵｓｕｍ（ｘ）は、第１の候補関係が輝度関係として使用された場合の値でもある。
【数１】
2018116256.tif 000003
【００６３】
次に、Ｓ５０４にて、輝度関係設定部１は、複数の輝度カテゴリ値ｘのそれぞれについて、輝度カテゴリ値ｘよりも大きい輝度カテゴリ値が輝度カテゴリ値ｘと等しいと仮定して電力関連値Ｗａｓｕｍ（ｘ）を判断する。電力関連値Ｗａｓｕｍ（ｘ）は、輝度カテゴリ値ｘに対応する画素の表示に要する消費電力に関連した値Ｗａｓｕｍである。
【００６４】
そして、Ｓ５０５にて、輝度関係設定部１は、複数の輝度カテゴリ値ｘのそれぞれについて、電力関連値ＷＵｓｕｍ（ｘ）と電力関連値Ｗａｓｕｍ（ｘ）の和ｔＴＷ（ｘ）を算出する。電力関連値（和）ｔＴＷ（ｘ）は、輝度カテゴリ値ｘに対応する値ｔＴＷである。求める。Ｓ５０５の処理により、複数の電力関連値ｔＴＷ（ｘ）として、複数の候補関係にそれぞれ対応する複数の上記電力関連値ＴＷが得られる。ここで、複数の候補関係のそれぞれにおいて、輝度閾値以下のデータ輝度Ｌｉｎの範囲における対応関係は、第１の候補関係と略同一である。本実施例では、電力関連値ｔＴＷ（ｘ）に対応する候補関係において、輝度閾値は、輝度カテゴリ値ｘに対応する。具体的には、電力関連値ｔＴＷ（ｘ）に対応する候補関係において、輝度閾値は、輝度カテゴリ値ｘのデータ輝度Ｌｏｕｔと等しい。
【００６５】
次に、Ｓ５０６にて、輝度関係設定部１は、複数の電力関連値ｔＴＷ（ｘ）に基づいて、複数の電力関連値ｔＴＷ（ｘ）にそれぞれ対応する複数の候補関係のいずれかを、輝度関係として決定する。具体的には、輝度関係設定部１は、閾値Ｗｔｈ以下の電力関連値ｔＴＷ（ｘ）の輝度カテゴリ値ｘに対応する輝度閾値が設定されるように、補正値ＣＧを決定する。そして、閾値Ｗｔｈ以下の２つ以上の電力関連値ｔＴＷ（ｘ）が得られた場合には、輝度関係設定部１は、当該２つ以上の電力関連値ｔＴＷ（ｘ）の最大値の輝度カテゴリ値ｘに対応する輝度閾値が設定されるように、補正値ＣＧを決定する。
【００６６】
本実施例では、電力関連値ｔＴＷ（ｘ）が閾値Ｗｔｈ以下である候補関係を輝度関係として用いることにより、表示装置の消費電力を電力閾値以下に低減することができる。そのため、Ｓ５０６の上記処理によれば、電力関連値ｔＴＷ（ｘ）に関連した消費電力が電力閾値以下である候補関係が、輝度関係として決定される。電力閾値以下の消費電力に関連した電力関連値ｔＴＷ（ｘ）が、複数の候補関係のうちの２つ以上の候補関係について取得されることがある。その場合には、上記２つ以上の候補関係のうちの、電力関連値ｔＴＷ（ｘ）に関連した消費電力が最も大きい候補関係が、輝度関係として決定される。
【００６７】
そして、電力関連値ｔＴＷ（ｎ）が閾値Ｗｔｈ以下である場合には、図３（Ａ）に示すような第１の候補関係が、輝度関係として決定される。電力関連値ｔＴＷ（ｎ）が閾値Ｗｔｈよりも大きい場合には、図３（Ｂ）に示すような第２の候補関係が、輝度関係として決定される。
【００６８】
次に、補正値ＣＧの決定方法の具体例を、図６，７を用いて説明する。ここでは、簡単のため、輝度カテゴリ値ｘが１から５までの５段階の値であり、且つ、入力画像データが水平方向１０画素×垂直方向５画素の計５０画素を有する例を説明する。全ての画素が輝度カテゴリ値ｘ＝５に対応する場合に、表示装置の消費電力は最大となる。式３によれば
、電力関連値ＴＷ（表示装置の消費電力）は、最大で２５０となる。ここでは、閾値Ｗｔｈとして、上記最大値２５０の半分の１２５を使用する例を説明する。
【００６９】
まず、Ｓ５０１にて、図６の輝度ヒストグラムが取得される。具体的には、図７の度数Ｃｔ（ｘ）が取得される。次に、Ｓ５０２にて、図７の電力関連値ｔＷ（ｘ）が算出される。例えば、輝度カテゴリ値ｘ＝３の度数Ｃｔ（３）は１４であるため、電力関連値ｔＷ（３）として、３×１４＝４２が算出される。電力関連値ｔＷ（１），ｔＷ（２），ｔＷ（４），ｔＷ（５）も同様に算出される。
【００７０】
そして、Ｓ５０３にて、図７の電力関連値ＷＵｓｕｍ（ｘ）が算出される。例えば、輝度カテゴリ値ｘ＝１よりも小さい輝度カテゴリ値は存在しない。そのため、電力関連値ＷＵｓｕｍ（１）として０が算出される。また、輝度カテゴリ値ｘ＝４よりも小さい輝度カテゴリ値として、３つの輝度カテゴリ値ｘ＝１，２，３が存在する。そして、輝度カテゴリ値ｘ＝１の電力関連値ｔＷ（１）は４であり、輝度カテゴリ値ｘ＝２の電力関連値ｔＷ（２）は３４であり、輝度カテゴリ値ｘ＝３の電力関連値ｔＷ（３）は４２である。そのため、電力関連値ＷＵｓｕｍ（４）として、４＋３４＋４２＝８０が算出される。電力関連値ＷＵｓｕｍ（２），ＷＵｓｕｍ（３），ＷＵｓｕｍ（５）も同様に算出される。
【００７１】
次に、Ｓ５０４にて、図７の電力関連値Ｗａｓｕｍ（ｘ）が算出される。図７において、「ＵｐＣｔ（ｘ）」は、輝度カテゴリ値ｘ以上の輝度カテゴリ値に対応する画素の数（度数）である。例えば、輝度カテゴリ値ｘ＝１の度数Ｃｔ（１）は４であり、輝度カテゴリ値ｘ＝２の度数Ｃｔ（２）は１７である。そのため、輝度カテゴリ値ｘ＝３の度数ＵｐＣｔ（３）は、５０−４−１７＝２９となる。その結果、輝度カテゴリ値ｘ＝３の電力関連値Ｗａｓｕｍ（３）として、３×２９＝８７が算出される。電力関連値Ｗａｓｕｍ（１），Ｗａｓｕｍ（２），Ｗａｓｕｍ（４），Ｗａｓｕｍ（５）も同様に算出される。
【００７２】
そして、Ｓ５０５にて、図７の電力関連値ｔＴＷ（ｘ）が算出される。例えば、輝度カテゴリ値ｘ＝５の電力関連値ＷＵｓｕｍ（５）は１２０であり、輝度カテゴリ値ｘ＝５の電力関連値Ｗａｓｕｍ（５）は２５である。そのため、電力関連値ｔＴＷ（５）として、１２０＋２５＝１４５が算出される。電力関連値ｔＴＷ（１），ｔＴＷ（２），ｔＴＷ（３），ｔＴＷ（４）も同様に算出される。
【００７３】
次に、Ｓ５０６にて、閾値Ｗｔｈ以下の電力関連値ｔＴＷ（ｘ）に対応する輝度カテゴリ値ｘの最大値が検出される。図７の例では、電力関連値ｔＴＷ（１），ｔＴＷ（２），ｔＴＷ（３）が閾値Ｗｔｈ＝１２５以下であるため、輝度カテゴリ値ｘ＝３が検出される。その結果、輝度カテゴリ値ｘ＝３に対応する輝度閾値が設定されるように、補正値ＣＧが決定される。それにより、電力関連値ｔＴＷ（３）に対応する第２の候補関係が、輝度関係として使用される。その結果、表示装置の消費電力を電力閾値以下に低減することができると共に、データ輝度Ｌｉｎが輝度カテゴリ値ｘ＝３のデータ輝度Ｌｏｕｔ以下である領域において、第１の候補関係を用いた場合と略同一の表示輝度での表示を実現することができる。なお、本実施例においては、Ｓ５０６にて補正値ＣＧが決定されるまでは、第１補正部２の後段（有機ＥＬパネル８）への出力は行われないものとする。これにより、電力閾値以下の消費電力での表示を行うことができる。
【００７４】
以上述べたように、本実施例の方法でも、第１の候補関係に対応する消費電力が電力閾値よりも大きい場合に、第２の候補関係が決定される。それにより、好適な表示輝度での表示を維持しつつ表示装置の消費電力を電力閾値以下に低減することが可能となる。
【００７５】
なお、輝度関係の決定方法は上記方法に限られない。例えば、輝度関係設定部１は、閾値Ｗｔｈ以下の２つ以上の電力関連値ｔＴＷ（ｘ）のうちの、最大値でない電力関連値ｔ
ＴＷ（ｘ）の輝度カテゴリ値ｘに対応する輝度閾値を設定してもよい。輝度関係設定部１は、複数の候補関係のそれぞれを輝度関係として設定することにより、複数の候補関係にそれぞれ対応する複数の輝度ヒストグラムを取得してもよい。そして、輝度関係設定部１は、複数の輝度ヒストグラムを用いて複数の電力関連値ｔＴＷ（ｘ）を取得してもよい。輝度関係設定部１は、複数の候補関係のそれぞれについて実施例１の方法で電力関連値ｔＴＷ（ｘ）を取得してもよい。また、輝度関係設定部１は、第１補正部２によって得られたデータ輝度Ｌｏｕｔからではなく、入力画像データから特徴量を取得してもよい。
【００７６】
＜実施例３＞
以下、本発明の実施例３について説明する。以下では、実施例１と異なる点（構成、処理、等）について詳しく説明し、実施例１と同じ点についての説明は省略する。図８は、本実施例に係る表示装置の構成例を示すブロック図である。図８において、実施例１（図１）と同じ機能部には、実施例１と同じ符号が付されている。
【００７７】
閾値設定部９は、表示装置に対するユーザ操作に応じて閾値Ｗｔｈを設定する。具体的には、閾値設定部９は、ユーザ操作に応じた閾値Ｗｔｈを、輝度関係設定部（変換特性設定部）１へ出力する。輝度関係設定部１は、閾値設定部９から出力された閾値Ｗｔｈを記憶して使用する。このように、本実施例では、閾値Ｗｔｈはユーザ操作に応じて適宜変更されて使用される。
【００７８】
以上述べたように、本実施例によれば、閾値Ｗｔｈ（電力閾値）がユーザ操作に応じて適宜変更されて使用される。それにより、ユーザが所望する消費電力まで、表示装置の消費電力を確実に低減することができる。本実施例の構成は、例えば、バッテリーで駆動される表示装置の使用可能時間を延ばしたい場合などにおいて好ましい。閾値Ｗｔｈ（電力閾値）を低減するユーザ操作により、バッテリーで駆動される表示装置の使用可能時間を延ばすことができる。
【００７９】
＜実施例４＞
以下、本発明の実施例４について説明する。以下では、実施例１と異なる点（構成、処理、等）について詳しく説明し、実施例１と同じ点についての説明は省略する。図９は、本実施例に係る表示装置の構成例を示すブロック図である。図９において、実施例１（図１）と同じ機能部には、実施例１と同じ符号が付されている。
【００８０】
本実施例では、第１補正部２は、表示装置に対するユーザ操作に応じた候補関係（階調変換特性候補）を、第１補正部２による補正処理の輝度関係（階調変換特性）として使用する。電力制限部１１は、第１補正部２で使用された現在の輝度関係に対応する消費電力（表示装置の消費電力）が電力閾値よりも大きい場合に、消費電力が電力閾値以下となるように画面全体に渡って略同一の比率で表示輝度が低減された表示のための処理を行う。以後、「消費電力が電力閾値以下となるように画面全体に渡って略同一の比率で表示輝度が低減された表示」を「制限表示」と記載する。
【００８１】
本実施例では、電力制限部１１は、ＢＬ制御値決定部４から出力された複数のＢＬ制御値に基づいて、第１補正部２で使用された現在の輝度関係に対応する消費電力を判断する。判断された消費電力が電力閾値よりも大きい場合には、電力制限部１１は、消費電力が閾値以下となるように、複数のＢＬ制御値を同じ比率で低減する。そして、電力制限部１１は、低減後のＢＬ制御値をバックライトユニット５へ出力する。その結果、バックライトユニット５の光源部が、低減後のＢＬ制御値に応じた発光輝度で発光し、制限表示が行われる。本実施例では、発光輝度が高いほどＢＬ制御値が大きいため、「ＢＬ制御値の低減」は「発光輝度の低減」とも言える。自発光型の表示装置が使用される場合には、例えば、表示画像データの各画素値を同じ比率で低減することにより、制限表示を実現するこ
とができる。判断された消費電力が電力閾値以下である場合には、電力制限部１１は、ＢＬ制御値決定部４から出力された複数のＢＬ制御値を、バックライトユニット５へ出力する。その結果、光源部は、ＢＬ制御値決定部４から出力されたＢＬ制御値に応じた発光輝度で発光する。
【００８２】
例えば、電力制限部１１は、ＢＬ制御値決定部４から出力された複数のＢＬ制御値の総和が閾値Ｗｔｈよりも大きい場合に、第１補正部２で使用された現在の輝度関係に対応する消費電力が電力閾値よりも大きいと判断する。そして、電力制限部１１は、ＢＬ制御値決定部４から出力された複数のＢＬ制御値の総和が閾値Ｗｔｈ以下である場合に、第１補正部２で使用された現在の輝度関係に対応する消費電力が電力閾値以下であると判断する。
【００８３】
図１０（Ａ）を用いて、実際の輝度関係の一例を説明する。実際の輝度関係は、データ輝度Ｌｉｎと、ユーザが確認する実際の表示輝度との対応関係である。
【００８４】
符号１０１は、ユーザ操作に応じた候補関係、すなわち第１補正部２で使用された輝度関係を示す。輝度関係１０１に対応する消費電力が電力閾値以下である場合には、制限表示は行われず、輝度関係１０１が実際の輝度関係となる。その結果、輝度関係１０１の輝度閾値（階調閾値）以下のデータ輝度Ｌｉｎを有する画素を、第１の候補関係を用いた場合と略同一の表示輝度で表示することができる。
【００８５】
輝度関係１０１に対応する消費電力が電力閾値よりも大きい場合には、制限表示が行われ、輝度関係１０１の各表示輝度を低減した輝度関係１０２が実際の輝度関係となる。その結果、輝度関係１０１の輝度閾値以下のデータ輝度Ｌｉｎを有する画素を、第１の候補関係を用いた場合と略同一の表示輝度で表示することができなくなる。但し、輝度関係１０１の輝度閾値以下のデータ輝度Ｌｉｎの範囲について、データ輝度Ｌｉｎの違いを表示することができる。
【００８６】
パラメータ表示／設定部１０は、表示装置に対するユーザ操作に応じて候補関係を決定し、決定した候補関係の情報を輝度関係設定部（変換特性設定部）１に出力する。輝度関係設定部１は、パラメータ表示／設定部１０から出力された情報から、ユーザ操作に応じた候補関係を判断する。そして、輝度関係設定部１は、判断した候補関係を、輝度関係として、第１補正部２に対して設定する。
【００８７】
本実施例では、パラメータ表示／設定部１０は、ユーザ操作に応じて輝度閾値を決定し、決定した輝度閾値を輝度関係設定部１に出力する。そして、輝度関係設定部１は、パラメータ表示／設定部１０から出力された輝度閾値を、第１補正部２に対して設定する。その結果、輝度閾値以下のデータ輝度Ｌｉｎに、データ輝度Ｌｉｎと等しいデータ輝度Ｌｏｕｔが対応付けられ、且つ、輝度閾値よりも高いデータ輝度Ｌｉｎに、輝度閾値と等しいデータ輝度Ｌｏｕｔが対応付けられた輝度関係が、第１補正部２で使用される。
【００８８】
なお、ユーザ操作に応じた候補関係の決定方法は特に限定されない。例えば、輝度閾値以上のデータ輝度Ｌｉｎの変化に対する表示輝度の変化の傾きなどの他のパラメータが、ユーザ操作に応じて決定されてもよい。
【００８９】
パラメータ表示／設定部１０は、表示装置の消費電力が電力閾値以下となる候補関係に関する情報を、ユーザに通知する。それにより、ユーザは、消費電力が電力閾値以下となる候補関係を容易に把握することができ、消費電力が電力閾値以下となる候補関係を設定するための操作などを容易に行うことができる。
【００９０】
表示装置の消費電力が電力閾値以下となる候補関係は、例えば、電力関連値、補正値ＣＧ、等から判断することができる。本実施例では、データ輝度Ｌｉｎの上限Ｌｍａｘが２０００ｃｄ／ｍ２であるとする。実施例１の方法で補正値ＣＧ＝０が決定された場合には、０ｃｄ／ｍ２以上かつ２０００ｃｄ／ｍ２以下の範囲を、表示装置の消費電力が電力閾値以下となる輝度閾値の範囲として判断することができる。その場合には、パラメータ表示／設定部１０は、例えば、０ｃｄ／ｍ２以上かつ２０００ｃｄ／ｍ２以下の範囲を示す情報を、ユーザに通知する。それにより、ユーザは、消費電力が電力閾値以下となる輝度閾値の範囲を容易に把握することができ、消費電力が電力閾値以下となる輝度閾値を設定するための操作などを容易に行うことができる。
【００９１】
パラメータ表示／設定部１０は、第１補正部２で使用された現在の輝度関係に関する情報を、ユーザにさらに通知する。それにより、ユーザは、第１補正部２で使用された現在の輝度関係を容易に把握することができ、実際の輝度関係を所望の候補関係に更新するための操作などを容易に行うことができる。
【００９２】
ユーザに対する情報の通知は、例えば、画像表示、音声出力、ランプの点灯、等によって実現される。本実施例では、図１１（Ａ）〜１１（Ｃ）に示すようなグラフィック画像の表示によって、情報がユーザに通知される。図１１（Ａ）〜１１（Ｂ）において、ライン１１１は、ユーザ操作に応じた輝度閾値、すなわち第１補正部２で使用された輝度関係の輝度閾値を示す。バー１１２は、消費電力が電力閾値以下となる輝度閾値の範囲を示す。
【００９３】
図１１（Ａ）では、ライン１１１は１５００ｃｄ／ｍ２を示し、バー１１２は２０００ｃｄ／ｍ２以下の範囲を示す。この場合には、１５００ｃｄ／ｍ２が２０００ｃｄ／ｍ２よりも低いため、制限表示は行われず、ユーザ操作に応じた候補関係が実際の輝度関係となる。具体的には、図１０（Ａ）の輝度関係１０１が実際の輝度関係となる。なお、バー１１２は、２０００ｃｄ／ｍ２以下のデータ輝度Ｌｉｎを有する画素が存在することを意味しない。そのため、入力画像データが有するデータ輝度Ｌｉｎの最大輝度などが、ユーザにさらに通知されてもよい。
【００９４】
図１１（Ｂ）では、ライン１１１は１５００ｃｄ／ｍ２を示し、バー１１２は１０００ｃｄ／ｍ２以下の範囲を示す。この場合には、１５００ｃｄ／ｍ２が１０００ｃｄ／ｍ２よりも高いため、制限表示が行われ、ユーザ操作に応じた候補関係の各表示輝度を低減した輝度関係が実際の輝度関係となる。具体的には、図１０（Ａ）の輝度関係１０２が実際の輝度関係となる。
【００９５】
ユーザは、図１１（Ｂ）のバー１１２を確認することで、１０００ｃｄ／ｍ２以下の輝度閾値を設定すれば制限表示が行われない、ということを容易に把握することができる。そして、ユーザが、輝度閾値を１０００ｃｄ／ｍ２に更新するための操作を行うと、第１補正部２で使用される輝度関係の輝度閾値が１０００ｃｄ／ｍ２に更新される。その結果、制限表示が行われず、ユーザ操作に応じた候補関係が実際の輝度関係となる。具体的には、図１０（Ｂ）の輝度関係１０３が実際の輝度関係となる。
【００９６】
輝度閾値を１５００ｃｄ／ｍ２から１０００ｃｄ／ｍ２に更新することにより、データ輝度Ｌｉｎの違いを表示できるデータ輝度Ｌｉｎの範囲が、１５００ｃｄ／ｍ２以下の範囲から、１０００ｃｄ／ｍ２以下の範囲に狭まる。しかしながら、１０００ｃｄ／ｍ２以下のデータ輝度Ｌｉｎを有する画素を、第１の候補関係を用いた場合と略同一の表示輝度で表示できるようになる。
【００９７】
このように、ユーザは、輝度閾値を更新する操作を行うことにより、データ輝度Ｌｉｎ
の違いを表示できるデータ輝度Ｌｉｎの範囲が広い表示と、第１の候補関係を用いた場合と略同一の表示輝度での表示とを選択することができる。
【００９８】
また、輝度閾値を１５００ｃｄ／ｍ２から１０００ｃｄ／ｍ２に更新することにより、グラフィック画像が、図１１（Ｂ）のグラフィック画像から、図１１（Ｃ）のグラフィック画像へ更新される。それにより、ユーザは、制限表示が行われていないことなどを容易に把握することができる。
【００９９】
以上述べたように、本実施例によれば、表示装置の消費電力が電力閾値以下となる候補関係に関する情報などがユーザに通知される。それにより、表示装置の利便性を向上することができる。例えば、ユーザは、所望の様々な輝度関係を実際の輝度関係として得るための操作を容易に行うことができる。様々な輝度関係として、例えば、データ輝度Ｌｉｎの違いを表示できるデータ輝度Ｌｉｎの範囲が広い輝度関係、第１の候補関係を用いた場合と略同一の表示輝度での表示を実現できる輝度関係、等がある。
【０１００】
なお、通知のためのグラフィック画像は、図１１（Ａ）〜１１（Ｃ）のグラフィック画像に限られない。例えば、ライン１１１とバー１１２の少なくとも一方の代わりに、アイコン、テキスト画像、等が使用されてもよい。具体的には、「現在の輝度閾値は１０００ｃｄ／ｍ２です」、「１５００ｃｄ／ｍ２よりも高い輝度閾値が設定された場合に画面全体の輝度が低下します」、等のテキスト画像が表示されてもよい。
【０１０１】
なお、実施例１〜４の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１０２】
なお、実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
【０１０３】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１０４】
１：輝度関係設定部（変換特性設定部）  ２：第１補正部  ３：特徴量取得部
４：ＢＬ制御値決定部５：バックライトユニット  ６：第２補正部
７：液晶パネル  ８：有機ＥＬパネル
【図１】
2018116256.tif 000004
【図２】
2018116256.tif 000005
【図３】
2018116256.tif 000006
【図４】
2018116256.tif 000007
【図５】
2018116256.tif 000008
【図６】
2018116256.tif 000009
【図７】
2018116256.tif 000010
【図８】
2018116256.tif 000011
【図９】
2018116256.tif 000012
【図１０】
2018116256.tif 000013
【図１１】
2018116256.tif 000014